(57)【要約】【課題】  ＰＴＰ包装体の隆起部内から錠剤を取り出す装置の製造単価が嵩みすぎることに加えて、装置を使う上での操作手順少なくする必要がある。【解決手段】  大きさの異なる錠剤が通過する通過孔を有する基盤体上面の長手方向に対して直角方向の幅を一錠のＰＴＰ包装体のシート部の大きさより狭くする幅狭基盤体と、該幅狭盤体上に設けられ、先端から任意のＰＴＰ包装体のシート部を前記幅狭基盤体との間に挿入した際にＰＴＰ包装体の隆起部の大きさ形状に合わせて左右開閉可能となるとともに隆起部を挟接する手段を有する挟接面を形成する押し圧定置具と、回動機構を介して前記幅狭基盤体または前記押し圧定置具に取り付けられ前記挟接面に挟持されたＰＴＰ包装体内の錠剤を落下させる押し出し片を有する押し具とよりなる。【選択図】図１
2019217227.tif 000002
【特許請求の範囲】
【請求項１】
大きさの異なる錠剤が通過する通過孔を有する基盤体上面の長手方向に対して直角方向の幅を一錠のＰＴＰ包装体のシート部の大きさより狭くする幅狭基盤体と、
該幅狭盤体上に設けられ、先端から任意のＰＴＰ包装体のシート部を前記幅狭基盤体との間に挿入した際にＰＴＰ包装体の隆起部の大きさ形状に合わせて左右開閉可能となるとともに隆起部を挟接する手段を有する挟接面を形成する押し圧定置具と、
回動機構を介して前記幅狭基盤体または前記押し圧定置具に取り付けられ前記挟接面に挟持されたＰＴＰ包装体内の錠剤を落下させる押し出し片を有する押し具とよりなる錠剤の押し出し装置。
【請求項２】
前記幅狭基盤体と前記押し圧定置具との間に前記ＰＴＰ包装体を挿入した際に該ＰＴＰ包装体の隆起部を定位置に停止させるための当接具を前記幅狭基盤体又は前記押し圧定置具に着脱可能に備えた請求項１に記載の錠剤の押し出し装置。
【発明の詳細な説明】
【技術分野】
【０００１】  本発明は、透明の樹脂シートとアルミ箔の重合によって配列成形された複数の中空隆起部（以下隆起部と称する）内に錠剤を封入したＰＴＰ包装体（以下包装体と称する）と、一錠づつに切り分けた包装体のいずれからも隆起部内の錠剤を容易に取り出せる錠剤の押し出し装置に関する。
【背景技術】
【０００２】  従来、包装体内部の錠剤を取り出すための装置に関する出願は多くなされていて、その中には商品として一般に流通しているものもあるが、それらの装置はどれも使い勝手が良くないことで全く普及していない。
また、錠剤を配列成形された包装体と、この包装体を一錠ずつに切り分けた包装体の何れからも錠剤を取り出せ、また錠剤を出したあとの空の包装体を排除する構成の出願もなされている。
【先行技術文献】
【特許文献】
【０００３】
【特許文献１】特許第５７８５３１９号
【特許文献２】特許第５９５３６２３号
【発明の概要】
【発明が解決しようとする課題】
【０００４】  本発明が解決しようとする課題として、特許文献１は一錠ずつに切り分け包装体を指先に持って挿入する場合、挿入距離が長いので押し込みにくい上に、挿入された包装体のシート部を挟持するとき、素材が持つ弾力のみで挟持するので保持力が弱い、そのために包装体が硬めの素材によるときは、挿入された包装体の隆起部の中央を上方からから押圧したとき、保持されたシート部の抜落やズレが生じることがあり、隆起部内の錠剤を押し出し切れないことがある等の問題を解決したとして、特許文献２の出願がなされている。
しかし、この特許文件２においても、前述の特許文件１と同様に、錠剤を押し出したあとの、一錠ずつに切り分けた空の包装体を排除するときは、その包装体を排除するための排除機構をあらためて操作しなければならない。
従って、何れの特許文献においても、その発明を商品化に向けて実行しようとすると、全構成のなかに包装体を排除するための機構を組み入れることは、技術面では可能であるとしても、組み立て作業等の費用が高すぎることが要因となって、商品化の実現には至らなかった経緯がある。【０００５】  また使い勝手においても、一錠ずつに切り分けた空の包装体を排除するために、本来の錠剤を押し出す操作に加えて、排除機構を操作する手間は明らかに余分である。
この一連の操作を詳細に説明すると、先ず一錠にずつに切り分けた包装体を、
手順１．指先に摘まみ持って基盤上に置く、
手順２．置いた包装体を押圧定置盤の間に指先で押し込み、
手順３．錠剤を押し出し、
手順４．空になった包装体を排除するために、操作部を操作しなければならない。
従って、操作を完了するまでに四度の手順を要するものである。
そこで本発明は上記の課題を解決するために、先ず空になった包装体を排除するための操作部品をなくすことで製造単価を下げ、更に操作手順でも、上記の手順１．をなくし、手順４．では何の操作をすることもなく、ただ包装体を引き抜くのみで完了とする、錠剤の押し出し装置を提供するものである。
また、本発明は開発当初より高齢者及び障害者を対象としてなされていたが、高齢化が加速度的に進んだ今日では、薬局において医師による処方薬の一包化が行われていて、この一包化によると、包装体から錠剤を押し出す専用の機械はあるものの、以前は稀であった薬剤師自身が包装体から指先で錠剤を押し出す作業が増大していて、これが薬剤師にとって大きな負担となっていることが現状である。
上記の課題を解決したことによって、販売のための製造が可能となり、金型の制作を進める現状を鑑み、特許出願をするものである。
【課題を解決するための手段】
【０００６】  本発明は大きさの異なる錠剤が通過する通過孔を有する基盤体上面の長手方向に対して直角方向の幅を一錠のＰＴＰ包装体のシート部の大きさより狭くする幅狭基盤体と、該幅狭盤体上に設けられ、先端から任意のＰＴＰ包装体のシート部を前記幅狭基盤体との間に挿入した際にＰＴＰ包装体の隆起部の大きさ形状に合わせて左右開閉可能となるとともに隆起部を挟接する手段を有する挟接面を形成する押し圧定置具と、回動機構を介して前記幅狭基盤体または前記押し圧定置具に取り付けられ前記挟接面に挟持されたＰＴＰ包装体内の錠剤を落下させる押し出し片を有する押し具とよりなる。
【発明の効果】
【０００７】  本発明は、幅狭基盤体の上面の幅を一錠ずつに切り分けた包装体のシート部より狭くしているので、次に示すように一石二鳥の効果がある。
１．一錠に切り分けた小さな包装体を、指先に一度摘まみ持ったままで、挿入、錠剤の押  し出し、包装体の排除の操作を完了できるので、前述の特許文献の錠剤を取り出す方法  と比べると、格段に使いやすく楽である。
２．前述の特許文献と比べると、空になった包装体を排除するための部材がない分、製造  単価が下がり、安価にて提供できる。
【図面の簡単な説明】
【０００８】
【図１】  実施例１の側面図である。
【図２】  図１のＡ−Ａ部分断面平面図である。
【図３】  図２に包装体を挿入した状態の部分断面平面図である。
【図４】  図１に包装体を挿入した状態のＢ−Ｂ部分断面正面図である。
【図５】  図４のＣ−Ｃ断面図である。
【図６】  図５の錠剤を押し出した状態のＣ−Ｃ断面図である。
【図７】  実施例２の側面図である。
【図８】  左図は図７のＤ−Ｄ矢視図、右図はＥ−Ｅ断面図である。
【図９】  図７のケースを抜き方向にスライドした状態の側面図である。
【図１０】  実施例２の使用状態を示す斜視図である。
【図１１】  包装体の説明図である。
【図１２】  実施例３に包装体を挿入した状態の平面図である。
【図１３】  上図は図１２の１列目の錠剤を、下図は２列目の錠剤を押し出した状態の断面図である。
【発明を実施するための形体】
【実施例１】
【０００９】  本発明の基本構成である実施例１を図１・図２に基づいて詳細に説明する。
最初に、図１は実施例１の側面図であって、幅狭基盤体１ａの上側に、包装体４１のシート部を挿入するための隙間２５を形成して押し圧定置具２１の後端部を前記幅狭基盤体１ａの後端部に係止し、更に先端部の下面に押し出し片３２と、後端寄りの下面に押し圧バネ３３を設けた押し具３１を、前記幅狭基盤体１ａ上面に形成する軸受け４に軸着５することで、押し出し片３２が上下に可動するものとしている。
そして押し具３１を押し下げたときに押し圧バネ３３の作用によって押し圧定置具２１が下方に強く押されて幅狭基盤体１ａに圧接する。【００１０】  次に、図２は図１のＡ−Ａ部分断面平面図であって、長方形の幅狭基盤体１ａの前方側に錠剤が通過する通過孔３を形成し、この通過孔３の後側に、包装体４１を前方から挿入したときに、隆起部４５を定置部２２の位置に停止させるための当接具２４を着脱可能に設け、幅狭基盤体１ａの後部に軸受け４・４を形成し、更に通過孔３から後端にかけて二股型の押し圧定置具２１・２１が当接具２４を挟むように設けていて、この押し圧定置具２１・２１の二股部分の前方内側を挟接面２３・２３とし、この押し圧定置具２１・２１は左右均等に撓り開閉するとともに、上下方向にも撓るようにしている。
ここで本発明の最も重要なことは、基盤体の長手方向に対して直角方法の幅６を、一錠ずつに切り分けた包装体のシート部４２の大きさより適宜に狭くした幅狭基盤体１ａとしていることである。
通過穴３に示す定置部２２の位置は、錠剤４６を押し出すために、隆起部４１の位置を押し出し片３２に対して最良の位置であることを示している。
そして、前述の着脱可能とする当接具２４は、本実施例では幅狭基盤体１ａの上面に着脱可能としているが、これと同位置として、押し圧定置具２１・２１のそれぞれに、向き合わせに設けて着脱自在としてもよい。【００１１】  次に、本発明の実施例１の作用と使用方法を図３・図４・図５・図６に基づいて順次詳細に説明する。
先ず、図３は図２と同じ部分断面平面図であって、幅狭基盤体１ａと押し圧定置具２１・２１の間に包装体のシート部４２とともに、隆起部４５を押し圧定置具２１・２１に形成する挟接面２３・２３に挟まれた状態で挿入していて、この挿入時に大きさと形が異なる錠剤であっても、隆起部４５によって押し圧定置具２１・２１を左右均等に押し広げることで、隆起部４５を幅狭基盤体１ａの中央に位置させ、且つ隆起部４５が当接具２４に当接したところで、定置部２２に定置するものである。
そして前述の通り、幅狭基盤体１ａの長手方向に対して直角方法の幅６を、一錠ずつに切り分けた包装体のシート部４２の大きさより幅を適宜に狭くしているので、挿入された包装体のシート部４２の端部が幅狭基盤体１ａの両外側に出ている。
従って、後記の使用状態を説明する図１０に示すように、包装体４１のシート部４２を一度指先に摘まみ持ったままで、幅狭基盤体１ａと押し圧定置具２１・２１との間に挿入することができて、速やかに錠剤を押し出し、続けて引き抜けば、空になった包装体４１を排除できた状態となる。【００１２】  次に、図４は図１のＢ−Ｂ部分断面正面図であって、幅狭基盤体１ａに形成する通過孔３の真上に、押し圧定置具２１・２１によって包装体の隆起部４５が定置され、包装体のシート部４２・４２が幅狭基盤体１ａの左右外側に出ていて、この先端部を指先で摘まみ持つので、指先が基盤体１ａ・１ａと押し圧定置具２１・２１に触れることはない。
また、左右に位置する押し圧定置具２１・２１は、図示する矢印の方向に撓り可動としている。【００１３】  次に、図５は図４のＣ−Ｃ断面図であって、幅狭基盤体１ａと押し圧定置具２１との間に、包装体のシート部４２を挿入し、隆起部４５が当接具２４に当接して定置部に定置した状態を示していて、当接具２４は幅狭基盤体１ａに着脱可能に嵌め込み固定している。【００１４】  次に、図６は図５の状態から押し具３１を押し下げて、包装体から錠剤４６を押し出した状態を示していて、このとき押し具３１を押し下げると、押し圧バネの作用によって押し圧定置具２１が押し下げられ、包装体のシート部４２を幅狭基盤体１ａに押さえつけて固定するので、確実に錠剤４６を押し出すことができる。【００１５】  次に、本発明の実施例２を図７・図８・図９に基づいて詳細に説明する。
先ず、図７は幅狭基盤体１ｂの下側にケース体１１を設けた側面図であって、前端に取り出し口１２と斜部１３を形成していて、押し出された錠剤を複数まとめておいて、ケース体１１を大きく前に傾けると、全ての錠剤を一気に取り出せる。
また、斜部１３はケース体１１が少し前に傾いた程度で、内部に収容した錠剤が不用意に転がり出るのを防止するものである。【００１６】  次に、図８の左図は図７のＤ−Ｄ矢視図に包装体を挿入した状態を示していて、本実施例も前述の実施例１と同じく、幅狭基盤体１ｂ上面の幅を一錠づつに切り分けた包装体のシート４２部の大きさより幅を適宜に狭くしている。
また、本実施例のケース体１１の断面形状を台形型にして下方の幅を広くしていて、これによると、包装体を押し圧定置具２１・２１の間に挿入したとき、シート部４２を指先に摘まみ持ったままでも、ケース体１１の両側面の角度を調整することで、指がケース体１１に触れることがなくなり、指の動きを阻害しないのである。
更に、ケース体１１の断面形状を台形型していることで、丸い錠剤のみならず長さのあるカプセル剤も余裕をもってケース体１１内に収容できる。【００１７】  次に、図８の右図は図７のＥ−Ｅ断面図であって、通過孔３とスライド機構１４部分を示している。
このスライド機構１４・１４によって、幅狭基盤体１ｂの前方に向けてケース体１１を移動して引き抜くと、ケース体１１の内側の清掃ができる。【００１８】  次に、図９は図１７の側面図に示すケース体１１をスライド機構１４によって幅狭基盤体１ｂの前方向に移動した状態を示していて、このままケース体１１を引き抜けるようにしている。【００１９】  次に、図１０は本実施例の使用状態を示す斜視図であって、図示のように実施例本体７を片方の手に持ち、一錠ずつに切り分けた包装体のシート部４２を指先に摘まみ持ち、矢印アに沿うように押し圧定置具２１・２１の間を隆起部４５が当接具２４に当接するまで挿入し、シート部４２を摘まみ持ったまま、速やかに押し具３１を押し下げて錠剤を押し出し、続けて包装体を引き抜いて操作を完了する。【００２０】  次に、図１１は包装体４１の詳細図であって、本図に示す包装体は錠剤を２列に配設したものであるが、包装体には３列に配設されたものもある。【００２１】  次に、本発明の実施例３を図１２・図１３に基づいて詳細に説明する。
本実施例は、前述する実施例１の着脱可能とする当接具２４を取り外したものであって、包装体の隆起部４５は目見当によって定置部に定置するものである。
また、本実施例を実施例１の形態によって説明する。
先ず、図１２は、幅狭基盤体１ａと押し圧定置具２１の部分断面平面図であって、３列に配設された包装体の隆起部４５の１列目を押し圧定置具２１・２１の間に挿入した状態を示していて、この１列目の錠剤を押し出したあと、包装体４１を後方に移動することによって、２列目・３列目と錠剤を順次押し出すことができる。【００２２】  次に、図１３は前述の１列目・２列目・３列目と順次錠剤を押し出す状態示していて、上図は１列目、下図は２列目の錠剤を押し出した状態である。
【符号の説明】
【００２３】  １ａ・１ｂ：幅狭基盤体    ２：幅狭基盤体上面      ３：通過孔
４：軸受け                ５：軸着                ６：幅狭基盤体の幅
７：実施例本体
１１：ケース体            １２：取り出し口        １３：斜部
１４：スライド機構
２１：押し圧定置具        ２２：定置部            ２３：挟接面
２４：当接具              ２５：隙間              ２６：押し圧定置具の外幅
３１：押し具              ３２：押し出し片        ３３：押し圧バネ
４１：包装体              ４２：シート部          ４３：樹脂フィルム
４４：アルミ箔            ４５：隆起部            ４６：錠剤
４７：シート部の幅
【図１】
2019217227.tif 000003
【図２】
2019217227.tif 000004
【図３】
2019217227.tif 000005
【図４】
2019217227.tif 000006
【図５】
2019217227.tif 000007
【図６】
2019217227.tif 000008
【図７】
2019217227.tif 000009
【図８】
2019217227.tif 000010
【図９】
2019217227.tif 000011
【図１０】
2019217227.tif 000012
【図１１】
2019217227.tif 000013
【図１２】
2019217227.tif 000014
【図１３】
2019217227.tif 000015
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
大きさの異なる錠剤が通過する通過孔を有する基盤体上面の長手方向に対して直角方向の幅を一錠のＰＴＰ包装体のシート部の大きさより狭くする幅狭基盤体と、
該幅狭基盤体上に設けられ、先端から任意のＰＴＰ包装体のシート部を前記幅狭基盤体との間に挿入した際にＰＴＰ包装体の隆起部の大きさ形状に合わせて左右開閉可能となるとともに、隆起部を挟接する手段を有する挟接面を形成する押し圧定置具と、
回動機構を介して前記幅狭基盤体または前記押し圧定置具に取り付けられ前記挟接面に挟持されたＰＴＰ包装体内の錠剤を落下させる押し出し片を有する押し具と、
該押し具と前記押し圧定置具に係わる押し圧バネを後端付近に設け、前記押し具を押し下げると、前記押し圧定置具と前記幅狭基盤体との間に前記シート部を圧接固定することを特徴とした錠剤の押し出し装置。
【請求項２】
前記幅狭基盤体と前記押し圧定置具との間に前記ＰＴＰ包装体を挿入した際に該ＰＴＰ包装体の隆起部を定位置に停止させるための当接具を前記幅狭基盤体又は前記押し圧定置具に着脱可能に備えた請求項１に記載の錠剤の押し出し装置。